(57)【要約】【課題】自由度を持った操作が可能なブラインドの操作装置及びブラインドを提供する。【解決手段】スクリーン２０を昇降操作するための操作コード３４０に設けられたストッパ３４３を導出可能に収容する収容空間３２０を有するブラインドの操作ユニット３０であって、収容空間３２０は、操作ユニット３０の正面、側面、背面、及び下面の外郭を構成する少なくとも連続する二面の一部を形成し、収容空間３２０に、少なくとも二面に亘り連続し、ストッパ３４３を導出する開口３２１を設けた。【選択図】図２
2019190154.tif 000002
【特許請求の範囲】
【請求項１】
遮蔽材を昇降操作するための操作コードに設けられたストッパを導出可能に収容する収容空間を有するブラインドの操作装置であって、
前記収容空間は、前記操作装置の正面、側面、背面、及び下面の外郭を構成する少なくとも連続する二面の一部を形成し、
前記収容空間に、少なくとも前記二面に亘り連続し、前記ストッパを導出する開口が設けられている
ことを特徴とするブラインドの操作装置。
【請求項２】
前記開口の縁部に、前記開口の内部から前記開口の外部にかけて前記収容空間が漸次拡大するように傾斜部が形成されている
ことを特徴とする請求項１記載のブラインドの操作装置。
【請求項３】
前記少なくとも連続する二面に正面が含まれる正面収容空間と、前記少なくとも連続する二面に背面が含まれる背面収容空間の２つの前記収容空間を備える
ことを特徴とする請求項１または請求項２記載のブラインドの操作装置。
【請求項４】
前記巻取コードは、帯状にまたは複数の紐から構成されている
ことを特徴とする請求項１〜請求項３のいずれか一項に記載のブラインドの操作装置。
【請求項５】
遮蔽材を昇降操作するための操作コードを引くことによりに前記遮蔽材を昇降操作する操作装置を有するブラインドであって、
前記操作装置が、前記操作コードを引く方向に応じて揺動可能に支持されていることを特徴とするブラインド。
【発明の詳細な説明】
【技術分野】
【０００１】
本実施形態は、遮蔽材を昇降操作するための操作コードに設けられたストッパを導出可能に収容する収容空間を有する操作装置、及びその操作装置を有するブラインドに関する。
【背景技術】
【０００２】
従来、この種の操作装置としては、下記特許文献１に示されるものが知られている。この特許文献１に示される操作部は、この操作部が回転自在なプーリと、プーリに一端が巻取り及び巻解き可能に連結される操作部材と、該操作部材を常時プーリに巻き取られる方向に付勢するバネと、操作部材のプーリへの所定量以上の巻取りを規制するストッパと、を備え、ストッパによって巻取りが規制された操作部材の垂下部分を操作者が把持可能な把持部とすることを特徴としている。この特徴によれば、ストッパにより操作部材の所定量以上の巻取りを規制できることから、把持部を形成できると共にこれを適度な長さに設定でき、非操作時に操作部材をコンパクトにしておくことができる。
【先行技術文献】
【特許文献】
【０００３】
【特許文献１】特開２００６−２４１６９３号公報
【発明の概要】
【発明が解決しようとする課題】
【０００４】
上述した特許文献１記載の操作部は、操作部の筐体である操作ケースの下面に形成された開口内にストッパが没入する形で収容され、当該開口内の天井壁面と当接することにより、操作部材の所定量以上の巻取りを規制している。また、このストッパが開口に没入した状態において把持部は開口から垂下した状態となっている。そのため、バネによる巻取りの付勢力に抗して遮蔽材を降下させる把持部の操作を行う場合、即ち操作部材を巻き解く場合には、ストッパを開口から完全に導出させるように、一度把持部を下方に引き下げる必要がある。したがって、把持部の初期操作においては、一方向のみの引き下げに操作が制限されてしまうため、自由度を持った操作をすることができないという問題があった。
【０００５】
本発明は上述した問題点を解決するためになされたものであり、自由度を持った操作が可能なブラインドの操作装置及びブラインドを提供することを目的とする。
【課題を解決するための手段】
【０００６】
上述した課題を解決するため、本発明の一態様は、遮蔽材を昇降操作するための操作コードに設けられたストッパを導出可能に収容する収容空間を有するブラインドの操作装置であって、前記収容空間は、前記操作装置の正面、側面、背面、及び下面の外郭を構成する少なくとも連続する二面の一部を形成し、前記収容空間に、少なくとも前記二面に亘り連続し、前記ストッパを導出する開口が設けられている。
【０００７】
また、本発明の一態様は、遮蔽材を昇降操作するための操作コードを引くことによりに前記遮蔽材を昇降操作する操作装置を有するブラインドであって、前記操作装置が、前記操作コードを引く方向に応じて揺動可能に支持されている。
【発明の効果】
【０００８】
本発明によれば、自由度を持った操作が可能なブラインドの操作装置及びブラインドを提供することができる。本発明のその他の効果については、以下の発明を実施するための形態の項でも説明する。
【図面の簡単な説明】
【０００９】
【図１】第１の実施形態に係る操作ユニットを備えるブラインドの正面図である。
【図２】第１の実施形態に係る操作ユニット周辺の斜視図であり、（ａ）は操作ユニットが備える操作コードの非操作時の状態を示し、（ｂ）は操作コードを手前に引いた状態を示す。
【図３】第１の実施形態に係る操作ユニットの分解斜視図である。
【図４】第１の実施形態に係る操作ユニットの部分断面図であり、（ａ）は操作コードの非操作時の状態を示し、（ｂ）は操作コードを引いた状態を示す。
【図５】図４（ａ）に示されるＡ−Ａ線断面図である。
【図６】図４（ａ）に示されるＢ−Ｂ線断面図である。
【図７】操作コードを引いた状態における操作ユニットのＡ−Ａ線断面相当図である。
【図８】操作コードを引いた状態における操作ユニットのＢ−Ｂ線断面相当図である。
【図９】図４（ａ）に示されるＣ−Ｃ線断面図である。
【図１０】操作コードを引いた状態における操作ユニットのＣ−Ｃ線断面相当図である。
【図１１】（ａ）は第１の実施形態に係る操作ユニットが備える操作コードの非操作時の状態を示す部分正面図であり、（ｂ）はその側面図である。
【図１２】（ａ）は第１の実施形態に係る操作ユニットが備える操作コードを手前に引いた状態を示す部分正面図であり、（ｂ）はその側面図である。
【図１３】操作コードを引いた際のストッパの動きを説明するための図であり、（ａ）は操作コードの非操作時の状態、（ｂ）は操作コードを手前に引き下げ始めた状態、（ｃ）は操作コードをさらに手前に引き下げた状態を示す。
【図１４】第２の実施形態に係る操作ユニット周辺の斜視図であり、（ａ）は操作ユニットが備える操作コードの非操作時の状態を示し、（ｂ）は操作コードを手前に引いた状態を示す。
【図１５】（ａ）は第３の実施形態に係る操作ユニットが備える操作コードの非操作時の状態を示す部分正面図であり、（ｂ）はその側面図である。
【図１６】（ａ）は第３の実施形態に係る操作ユニットが備える操作コードを側方に引いた状態を示す部分正面図であり、（ｂ）はその側面図である。
【図１７】（ａ）は第４の実施形態に係る操作ユニットが備える操作コードの非操作時の状態を示す部分正面図であり、（ｂ）はその側面図である。
【図１８】（ａ）は第４の実施形態に係る操作ユニットが備える操作コードを下方に引いた状態を示す側面図であり、（ｂ）は操作コードを手前に引いた状態を示す側面図である。
【図１９】第５の実施形態に係る操作ユニットの縦断面図である。
【図２０】第５の実施形態に係る操作ユニットの縦断面図であり、（ａ）は操作コードを室外側に配置して右操作に設定した状態を示し、（ｂ）は操作コードを室内側に配置して左操作に設定した状態を示す。
【図２１】第６の実施形態に係る操作ユニット周辺の斜視図であり、（ａ）は操作ユニットが備える操作コードの非操作時の状態を示し、（ｂ）は操作コードを手前に引いた状態を示す。
【図２２】第６の実施形態に係る操作ユニットにおいて、操作コードにおける巻取コードの形状を変えた形態を示す斜視図である。
【発明を実施するための形態】
【００１０】
＜第１の実施形態＞
以下、本発明に係る第１の実施形態について図面を参照しつつ説明する。本実施形態においては、プリーツスクリーンにおける操作ユニットに本発明に係るブラインドの操作装置を適用した場合を例にとり説明を行う。なお、本実施形態においては、ブラインドが設けられた際の室内側の面を正面、室外側の面を背面、正面と背面とからなる方向を前後方向、ブラインドの長手方向を左右方向と称して以後説明を行う。また、本明細書及び図面において、実質的に同一の機能を有する構成要素については、同一の符号を付することにより重複説明を省略する。  
【００１１】
（全体構成）
先ず、本実施形態に係るブラインドの操作装置を備えるブラインドの全体構成について説明する。図１は、第１の実施形態に係る操作ユニットを備えるブラインドの正面図である。この図においては、ヘッドボックスのみが縦断面で示されている。図１に示されるように、本実施形態に係るブラインド１は、横型のプリーツスクリーンであり、窓枠等の設定面に固定されるヘッドボックス１０と、上端がヘッドボックス１０の下面に連結したプリーツ状のスクリーン２０と、スクリーン２０を昇降操作するための操作ユニット３０と、スクリーン２０の下端に取り付けられたボトムレール４０と、一端がヘッドボックス１０内で支持され、他端がスクリーン２０を挿通するように垂下してボトムレール４０に連結された２つの昇降コード５０と、を備える。
【００１２】
ヘッドボックス１０内には、その左右方向に延在する角柱状の回転軸１０２と、回転軸１０２が一体回転するように貫通し、それぞれが昇降コード５０を巻取り可能に昇降コード５０の一端が連結された２つの巻取ドラム１０４と、回転軸１０２の回転を拘束するストッパ装置１０６と、回転軸１０２の回転を減速するブレーキ装置１０８とが設けられている。回転軸１０２は、ヘッドボックス１０に隣接して設けられた操作ユニット３０内にまで達しており、操作ユニット３０による回転軸１０２の回転操作が可能となっている。
【００１３】
（操作ユニット３０）
本実施の形態に係る操作ユニット３０の構成について、図２〜図６を用いて詳細に説明する。図２は、本実施形態に係る操作ユニット周辺の斜視図であり、（ａ）は操作ユニットが備える操作コードの非操作時の状態を示し、（ｂ）は操作コードを手前に引いた状態を示す。図３は、第１の実施形態に係る操作ユニットの分解斜視図である。図４は、第１の実施形態に係る操作ユニットの部分断面図であり、（ａ）は操作コードの非操作時の状態を示し、（ｂ）は操作コードを引いた状態を示す。図５は図４（ａ）に示されるＡ−Ａ線断面図であり、図６は図４（ａ）に示されるＢ−Ｂ線断面図である。図７は操作コードを引いた状態における操作ユニットのＡ−Ａ線断面相当図であり、図８は操作コードを引いた状態における操作ユニットのＢ−Ｂ線断面相当図である。
【００１４】
図２（ａ）に示されるように、操作ユニット３０は、ヘッドボックス１０の左右方向一端部（ここでは図中右側端部）に固定され、下部に収容空間３２０が形成された本体ケース３００と、収容空間３２０を通じて一部が本体ケース３００に内蔵されたコードリール３０１（図３参照）に巻き取り／巻き解き可能に連結された操作コード３４０とを備える。操作ユニット３０は、図２（ｂ）に示されるように、操作コード３４０を引き下げ操作することによりスクリーン２０を昇降動作させるものである。例えば、スクリーン２０を降下させる際には、操作コード３４０を軽く引き下げることで一定速度を維持してスクリーン２０を最下降位置まで降下させることができる。また、当該状態において操作コード３４０を離すと操作コード３４０のみが巻き取られ、その巻き取り後にもう一度引き下がることによりスクリーン２０を上昇させることができる。
【００１５】
（操作コード３４０）
操作コード３４０は、図２（ｂ）に示されるように、コードリール３０１に巻き取り／巻き解き可能に巻回され、後述するぜんまいバネ３０２（図５、図７参照）により常に巻き取られる付勢力が加わっている巻取コード３４１と、操作者が操作可能に開口３２１から垂下する把持コード３４２と、把持コード３４２のコードリール３０１への巻き取りを規制するストッパ３４３とを備える。本実施形態においては、巻取コード３４１及び把持コード３４２は紐状をなしており、ストッパ３４３を介して連結されている。把持コード３４２の下端には、ブラインド１の操作者が把持する棒状の把持部３４４（図１参照）が設けられており、その操作性を良好なものとしている。ストッパ３４３は、中空樽状に形成されており、その中空部にそれぞれ巻取コード３４１と把持コード３４２とが挿通されて内部でこれらと連結するジョイント部材としても機能する。なお、ストッパ３４３内において巻取コード３４１と把持コード３４２とが互いに連結されるようにしてもよく、巻取コード３４１と把持コード３４２とが一体的に構成されていてもよい。また、ストッパ３４３は、把持コード３４２が引かれていない状態においては、常時収容空間３２０内に収容される。
【００１６】
（収容空間３２０）
収容空間３２０は、図２、図４、図８に示されるように、本体ケース３００の左右方向略中央における正面側下端部に位置付けられており、巻取コード３４１がコードリール３０１に巻き取られている状態（以後、この状態を非操作状態と称する）において、ストッパ３４３を収容する。また、収容空間３２０に収容されたストッパ３４３を導出するために、外部と収容空間３２０とを連通する開口３２１が本体ケース３００に形成されている。開口３２１は、収容空間３２０の正面及び下面が開放するように正面及び下面の２面に連続して形成されており、したがってストッパ３４３はその正面及び下面が露出した状態で収容される。
【００１７】
また、収容空間３２０は、図８に示されるように、その天井壁部３２２に巻取コード３４１が挿通可能な挿通孔３２３が設けられており、この挿通孔３２３を通って巻取コード３４１を本体ケース３００内外へ出し入れ可能にしている。挿通孔３２３は、巻取コード３４１を挿通可能且つストッパ３４３が挿通不能な径を有しており、したがって非操作状態として巻取コード３４１がコードリール３０１に完全に巻き取られている状態においても、その天井壁部３２２にストッパ３４３が当接することでストッパ３４３が本体ケース３００内へ侵入することを防止している。これにより、操作コード３４０のコードリール３０１への所定量以上の巻き取りを規制し、延いては把持コード３４２の本体ケース３００内への導入を規制している。
【００１８】
なお、図６に示されるように、意匠性の観点から開口３２１の上縁部によってストッパ３４３上部が正面から見て僅かに覆われるようにすることが好ましい。その場合、同図に示されるようにストッパ３４３の形状に即して上縁部内平面を傾斜させることでストッパ３４３の導出に支障をきたさないようにするとよい。
【００１９】
（本体ケース３００）
本体ケース３００は、図３に示されるように第１のケース３００−１と第２のケース３００−２とに分割可能にされており、その内部にコードリール３０１を含むクラッチ機構が内蔵されている。
【００２０】
図４〜図１０を用いてクラッチ機構の構成を簡単に説明する。図９は図４（ａ）に示されるＣ−Ｃ線断面図であり、図１０は操作コードを引いた状態における操作ユニットのＣ−Ｃ線断面相当図である。本体ケース３００は、図４、図５、図９、図１０に示されるように、コードリール３０１と、ぜんまいバネ３０２と、中継軸３０３と、クラッチドラム３０４と、クラッチピン３０５と、ガイドワッシャ３０６と、カムドライブ３０７と、連動部材３０８とを備える。
【００２１】
図５及び図６に示されるように、コードリール３０１は、第２のケース３００−２の固定軸３０９により相対回転可能に軸支されており、巻取コード３４１が巻回可能にその一端部が連結されている。ぜんまいバネ３０２は、一端がコードリール３０１に固定され、他端が第２のケース３００−２に固定されており、コードリール３０１に巻取コード３４１が巻き取られる巻取方向の付勢力を常時付与する。図４に示されるように、中継軸３０３は一端が固定軸３０９に嵌入し、他端がクラッチドラム３０４の中空部に嵌入してこれを相対回転不能に支持している。図９に示されるように、クラッチドラム３０４は、中空円筒状をなしており、その周壁にクラッチバネが嵌合している。クラッチピン３０５は、円柱状をなしており、径方向に沿って進退することにより連動部材３０８に対しコードリール３０１の回転の伝達／非伝達を行う。
【００２２】
ガイドワッシャ３０６は、中空円盤状をなしてその中空部にクラッチドラム３０４が嵌合し（図４参照）、相対回転可能に支持されている。また、ガイドワッシャ３０６は、図９に示されるように、一方の面にクラッチピン３０５の進退動作を案内する突起３０６ａが３組、カムドライブ３０７と一体回転するための突起３０６ｂが２組設けられている。カムドライブ３０７は、中空円盤状をなしてその中空部にクラッチドラム３０４が嵌合し、相対回転可能に支持されている。カムドライブ３０７は、コードリール３０１の突起３０１ａが挿通されてコードリール３０１と一体回転可能に係合する開口３０７ａが設けられると共に、一方の面にクラッチピン３０５を進退移動させるカム面を有する突起３０７ｂと、突起３０６ｂに当接可能な突起３０７ｃとが設けられている。カムドライブ３０７はガイドワッシャ３０６と互いに相対回転可能であるが、突起３０６ｂと突起３０７ｃとが当接した際には相対回転が規制される。連動部材３０８は、ケース３００−１内において回転軸１０２が相対回転不能に嵌合しており、クラッチピン３０５と係合可能に径内方向に突出する係合部３０８ａが設けられている。
【００２３】
（装置動作）
以上のように構成された操作ユニット３０の動作を説明する。先ず、図９〜図１２を用いて、操作コード３４０が引かれた際のクラッチ機構の動作を簡単に説明する。図１１（ａ）は第１の実施形態に係る操作ユニットが備える操作コードの非操作時の状態を示す部分正面図であり、図１１（ｂ）はその側面図である。図１２（ａ）は第１の実施形態に係る操作ユニットが備える操作コードを手前に引いた状態を示す部分正面図であり、図１２（ｂ）はその側面図である。
【００２４】
図１１に示されるように既にスクリーン２０が最下降位置まで降下された状態においては、図９に示されるようにクラッチピン３０５が連動部材３０８の係合部３０８ａと係合していない状態となっている。ここで操作者が把持コード３４２を引き下げ始めると、巻取コード３４１が巻き解かれてコードリール３０１が回転し、ぜんまいバネ３０２が回転に応じて縮径することとなる（図７参照）。続いて、コードリール３０１はカムドライブ３０７と一体回転し始め、突起３０７ｂのカム面とクラッチピン３０５とが当接してクラッチピン３０５が径外方向に移動し、連動部材３０８の係合部３０８ａに係合する。当該係合時には、突起３０６ｂと突起３０７ｃとが当接し、図１０に示される状態となる。これにより、コードリール３０１の回転が連動部材３０８を介して回転軸１０２に伝達され、これらが一体的に回転するようになる。この回転軸１０２の回転に応じて回転ドラム１０４が昇降コード５０を巻き取ることにより、図１２に示されるようにスクリーン２０を上昇させることができる。
【００２５】
なお、ある程度把持コード３４２を引いた状態において手を離すと、ぜんまいバネ３０２により巻取コード３４１が巻き取られると共に、コードリール３０１が逆回転となるが、これに応じてクラッチピン３０５と連動部材３０８との係合が解除されるため、回転軸１０２にはその逆回転が伝達することはない。
【００２６】
次に、図１３を用いて操作コード３４０が引かれた際のストッパ３４３の動作を説明する。図１３は、操作コードを引いた際のストッパの動きを説明するための図であり、（ａ）は操作コードの非操作時の状態、（ｂ）は操作コードを手前に引き下げ始めた状態、（ｃ）は操作コードをさらに手前に引き下げた状態を示す。
【００２７】
図１３（ａ）に示されるように、収容空間３２０にストッパ３４３が収容されている状態において把持コード３４２を手前（室内方向）に引き下げると、収容空間３２０に正面と下面の２面において連続する開口３２１が形成されているため、図１３（ｂ）に示されるようにストッパ３４３を手前に傾動させることができる。この傾動した状態においてさらに手前に引き下げることにより、図１２（ｂ）及び図１３（ｃ）に示されるように開口３２１の下面側のみならず正面側からもストッパ３４３を導出することができる。
【００２８】
以上に説明した本実施形態に係る操作ユニット３０によれば、ストッパ３４３を収容する収容空間３２０において、その正面及び下面に連続する開口３２１が形成されている。これにより、開口が下面のみで形成された場合と比較して、正面側からもストッパ３４３を導出することができるため、極めて高い自由度を持って把持コード３４２を引き下げることが可能となり、操作者の操作性を向上させることができる。例えば図１２に示されるように操作者が操作ユニット３０の正面且つ離れた位置に移動したとしても、自身に引き寄せる形で把持コード３４２を引き下げるのみでストッパ３４３を収容空間３２０から引き出すことができる。
【００２９】
なお、本実施形態においては、収容空間３２０を本体ケース３００の正面側下端部に形成し、開口３２１をその正面及び下面に連続するよう形成したがこれに限定されるものではなく、収容空間３２０を正面側左右方向端部に位置付けて開口３２１を正面及び側面に連続するよう形成してもよく、収容空間３２０を下面側左右方向端部に位置付けて開口３２１を下面及び側面に連続するよう形成してもよい。同様に、正面側に代えて背面側に収容空間を位置付けてもよい。即ち、収容空間３２０は、本体ケース３００の正面、背面、側面、下面からなる外郭を構成する面、換言すれば各面を延在して繋いだ収容空間３２０が形成されていない仮想的な本体ケースの輪郭面のうち、少なくとも連続する二面の一部を形成するように位置付けられ、当該収容空間３２０に対して、開口３２１が少なくとも前記二面に亘り連続していれば、上述した本実施形態に係る効果を奏することが可能となる。
【００３０】
また、本実施形態においては、操作ユニット３０をヘッドボックス１０の一端部に設けられると説明したがこれに限定されるものではなく、ヘッドボックス１０の中央等、端部以外の位置に操作ユニット３０を組み込んだとしても、上述した高い自由度を持った把持コード３４２の操作を行えることは言うまでもない。
【００３１】
また、本実施形態においては、ブラインド１として横型のプリーツスクリーンに本発明に係るブラインドの操作装置が適用されると説明したが、これに限定されるものではない。当該操作装置は横型、縦型のスラットを有するブラインドや、ロールスクリーン、ローマンシェード等の任意のブラインドに適用可能である。同様に、巻取コード３４１がコードリール３０１に巻回される形態を説明したが、これに限定されるものではなく、操作コードを環状のボールチェーンとしてプーリに巻き掛けられることによりスクリーン２０を昇降操作するもの等、遮蔽材を操作コードにより昇降操作する操作装置であれば、どのような構成のものにおいてもその操作ユニットに対して適用可能である。
【００３２】
＜第２の実施形態＞
前述した第１の実施形態では、収容空間３２０に開口３２１を設けたが、当該開口３２１の縁部に傾斜部を設けて把持コード３４２の収容空間３２０への導入／導出を円滑にするようにしてもよい。以下、図１４を用いて開口３２１の縁部に傾斜を設けた第２の実施形態に係るブラインドの操作装置について説明する。
【００３３】
図１４は、第２の実施形態に係る操作ユニット周辺の斜視図であり、（ａ）は操作ユニットが備える操作コードの非操作時の状態を示し、（ｂ）は操作コードを手前に引いた状態を示す。図１４に示されるように、本実施形態に係る操作ユニット３０ａは、開口３２１ａにより外部と連通する収容空間３２０ａを備える点で、第１の実施形態に係る操作ユニット３０と異なる。開口３２１ａは、第１の実施形態に係る開口３２１と同様に収容空間３２０ａの正面及び下面に連続するように形成されているが、その左右方向両縁部に、収容空間３２０ａを開口３２１ａ内部から開口３２１ａ外部にかけて漸次拡大させる傾斜部３２４が設けられている。したがって、開口３２１ａは、その左右方向長さが第１の実施形態に係る開口３２１と比較して長い形状となっている。
【００３４】
以上に説明した本実施形態によれば、開口３２１ａ縁部に漸次傾斜する傾斜部３２４が設けられることにより、図１４（ｂ）に示されるように、例えば図中左寄りに把持コード３４２を引いたとしても、ストッパ３４３は傾斜部３２４上を摺動するようにして引き出されるため、開口３２１ａの縁部に引っ掛かることがなく、収容空間３２０ａからの円滑な導出を実現できる。このことから、より高い自由度を持って把持コード３４２を操作することが可能となる。なお、これは、コードリール３０１による巻取コード３４１の巻き取りに応じたストッパ３４３の収容空間３２０ａへの導入においても同様であり、開口３２１ａの縁部に引っ掛かることがなく且つ傾斜部３２４に沿って確実に収容空間３２０ａへストッパ３４３を導いて収容させることができる。
【００３５】
なお、本実施形態においては開口３２１ａの正面側の縁部に傾斜部３２４を設けたが、下面側またはその双方に設けるようにしてよく、左右方向両縁部ではなく一方の縁部にのみ設けるようにしてもよい。また、傾斜部３２４が開口３２１ａの縁部にのみ設けられているが、当該傾斜部３２４が収容空間３２０ａの奥、即ち収容空間３２０ａを画成する背面壁にまで延在していてもよい。
【００３６】
＜第３の実施形態＞
前述した第１の実施形態では、収容空間３２０の開口３２１が正面及び下面に連続した形状であると説明したが、これに限定されるものではなく、収容空間３２０の開口３２１が正面、側面及び下面の三面において連続するように形成されていてもよい。以下、図１５を用いて開口３２１の縁部に傾斜を設けた第３の実施形態に係るブラインドの操作装置について説明する。
【００３７】
図１５（ａ）は第３の実施形態に係る操作ユニットが備える操作コードの非操作時の状態を示す部分正面図であり、図１５（ｂ）はその側面図である。図１６（ａ）は第３の実施形態に係る操作ユニットが備える操作コードを側方に引いた状態を示す部分正面図であり、図１６（ｂ）はその側面図である。図１５に示されるように、本実施形態に係る操作ユニット３０ｂは、収容空間３２０に代わり開口３２１ｂにより外部と連通する収容空間３２０ｂを備える点で第１の実施形態に係る操作ユニット３０と異なる。
【００３８】
収容空間３２０ｂは、図１５に示されるように、本体ケース３００の外郭を構成する面のうち、連続する三面である正面、側面（図中右側面）、及び下面の一部を形成するよう、本体ケース３００の左右方向一端部における正面側下端部、即ち正面側角隅部に位置付けられている。これに応じて、収容空間３２０ｂの正面、側面、及び下面の三面に亘り連続する開口３２１ｂが設けられており、これにより収容空間３２０ｂはストッパ３４３をその正面、側面、及び下面が露出した状態で収容する。
【００３９】
以上に説明した本実施形態によれば、操作ユニット３０ｂの正面及び下面に加え、側面においても開口３２１ｂが連続することにより、図１６に示されるように、把持コード３４２を手前のみならず右方向にも引き下げることが可能となり、より高い自由度を持って把持コード３４２を操作することが可能となる。なお、収容空間を本体ケース３００の背面側角隅部に位置付け、これに応じて、収容空間の背面、側面、及び下面の三面に亘り連続する開口を設けるようにしても類似の効果を得られることは言うまでもない。
【００４０】
＜第４の実施形態＞
前述した第１の実施形態では、収容空間３２０が二面に連続した開口３２１を有することにより、高い自由度を持った把持コード３４２の操作を実現したが、操作ユニット自体が揺動することにより当該効果を奏するようにしてもよい。以下、図１７及び図１８を用いて操作ユニット自体が揺動する第４の実施形態に係るブラインドの操作装置について説明する。
【００４１】
図１７（ａ）は第４の実施形態に係る操作ユニットが備える操作コードの非操作時の状態を示す部分正面図であり、図１７（ｂ）はその側面図である。図１８（ａ）は第４の実施形態に係る操作ユニットが備える操作コードを下方に引いた状態を示す側面図であり、図１８（ｂ）は操作コードを手前に引いた状態を示す側面図である。図１７に示されるように、本実施形態に係る操作ユニット３０ｃは、操作ユニット３０’に対して前後方向（正面から背面にかけての方向）に揺動可能に取り付けられている点で第１の実施形態に係る操作ユニット３０と異なる。操作ユニット３０’は第１の実施形態に係る操作ユニット３０と略同一構成を有しているが、コードリール３０１に巻取コード３４１が巻回されておらず、収容空間３２０が設けられていない。
【００４２】
一方、操作ユニット３０ｃは、当該コードリール３０１と一体回転可能なプーリ（不図示）を回転可能に収容すると共に操作ユニット３０’に対して前後方向に揺動可能な本体ケース３００ｃと、収容空間３２０ｃと、操作コード３４０とを備える。収容空間３２０ｃは、本体ケース３００ｃの外郭を構成する面のうち、下面の一部を形成するよう、本体ケース３００ｃの略中央における正面側下端部に位置付けられている。これに応じて、収容空間３２０ｃの下面に開口３２１ｃが設けられており、ストッパ３４３を下面が露出した状態で収容する。操作コード３４０は、巻取コード３４１がプーリに巻回され、開口３２１ｃから把持コード３４２が垂下するよう導出される。
【００４３】
以上に説明した本実施形態によれば、操作ユニット３０ｃが操作ユニット３０’に対して揺動可能であるため、把持コード３４２の引張方向に応じて操作ユニット３０ｃが揺動することができる。この揺動により、開口３２１ｃの向きを可変、具体的には開口３２１ｃの開口面垂直方向を引張方向と同方向とすることができるため、例えば図１８（ａ）に示されるように操作者が把持コード３４２を下方に引き下げた場合であっても、図１８（ｂ）に示されるように操作者が把持コード３４２を手前に引き下げた場合であっても、いずれの操作方向であっても開口３２１ｃが引張方向を向き、良好にストッパ３４３を導出して引き下げることができ、高い自由度を持って把持コード３４２を操作することが可能となる。
【００４４】
＜第５の実施形態＞
前述した第１の実施形態では、収容空間３２０が本体ケース３００の正面側にのみ設けられていたが、正面側と背面側の双方に設けるようにしてもよい。以下、図１９及び図２０を用いて正面側と背面側とに収容空間を備える第５の実施形態に係るブラインドの操作装置について説明する。
【００４５】
図１９は、第５の実施形態に係る操作ユニットの縦断面図である。図２０は、第５の実施形態に係る操作ユニットの縦断面図であり、（ａ）は操作コードを室外側に配置して右操作に設定した状態を示し、（ｂ）は操作コードを室内側に配置して左操作に設定した状態を示す。図１９に示されるように、本実施形態に係る操作ユニット３０ｄは、背面収容空間３２０ｄを更に備える点で第１の実施形態に係る操作ユニット３０と異なる。
【００４６】
背面収容空間３２０ｄは、収容空間３２０と略同一構成を有しているが、本体ケース３００の外郭を構成する面のうち、連続する二面である背面及び下面の一部を形成するよう、本体ケース３００の左右方向略中央における背面側下端部に位置付けられている。したがって開口３２１ｄは、開口３２１とは異なり、収容空間３２０ｄが位置する前記外郭の背面及び下面の二面に亘り連続して形成されている。
【００４７】
以上に説明した本実施形態によれば、操作ユニット３０ｄが収容空間３２０と共に収容空間３２０ｄを備えるため、図２０（ａ）に示されるように、収容空間３２０ｄを通過するように操作コード３４０を配設することができる。これにより、ブラインド１の背面側、即ち室外側において把持コード３４２の操作を行うことができる。また、図２０（ｂ）に示されるように、収容空間３２０ｄを通過するように操作コード３４０を配設すると共に、コードリール３０１の巻き取り／巻き解き方向が逆になるよう巻回することにより、ブラインド１における左端部に操作ユニット３０ｄを取り付けて背面収容空間３２０ｄを正面側、即ち室内側に位置付けることも可能となる。したがって、ブラインド１の左右方向両端部のどちらでも操作ユニット３０ｄを取り付けることができ、また、前後どちらでも把持コード３４２を垂下させることができるため、自由な操作位置の前後左右の切り替えを実現することができる。
【００４８】
＜第６の実施形態＞
前述した第１の実施形態においては、巻取コード３４１が１本の紐状をなしてストッパ３４３が中空樽状に形成されると説明したが、これに限定されるものではない。巻き取り時のストッパ３４３の回転を規制するように巻取コード３４１に幅を持たせるようにしてもよい。以下、図２１〜図２２を用いてストッパの形状が異なる第６の実施形態に係るブラインドの操作装置について説明する。
【００４９】
図２１は、第６の実施形態に係る操作ユニット周辺の斜視図であり、（ａ）は操作ユニットが備える操作コードの非操作時の状態を示し、（ｂ）は操作コードを手前に引いた状態を示す。図２２は、第６の実施形態に係る操作ユニットにおいて、引込みコードの種類を変えた形態を示す斜視図である。図２１に示されるように、本実施形態に係る操作ユニット３０ｅは、巻取コード３４１及びストッパ３４３に代わり、巻取テープ３４１ｅ及びストッパ３４３ｅを備える点で第１の実施形態に係る操作ユニット３０と異なる。
【００５０】
巻取テープ３４１ｅは、所定幅を有する帯状をなしてコードリール３０１に巻き取り／巻き解き可能に巻回されたものであり、その一端部がストッパ３４３ｅに連結されている。ストッパ３４３ｅは、意匠性向上のために収容時に収容空間３２０に嵌合して一体的なデザインとなるよう、当該収容空間３２０の形状に即した形状を有する略角形部材であり、ストッパ３４３と同様に把持コード３４２のコードリール３０１への巻き取りを規制すると共に、巻取テープ３４１ｅと把持コード３４２とが挿通されて内部でこれらと連結している。
【００５１】
以上に説明した本実施形態によれば、帯状の巻取テープ３４１ｅがコードリール３０１に巻き取られて互いに面接触することから、巻取テープ３４１ｅの回転を規制することができる。これにより、ストッパ３４３ｅの回転を規制してその向きを一定にすることができるため、ストッパ３４３ｅのような収容空間３２０の形状に合致するものであっても確実に収容空間３２０へ導入することができる。したがって、ストッパ３４３ｅが回転した状態で収容または開口３２１の縁に接触して収容されない、といった意匠性が損なわれる事態を確実に回避することができる。
【００５２】
図２２は、第６の実施形態に係る操作ユニットにおいて、操作コードにおける巻取コードの形状を変えた形態を示す斜視図である。巻取コード３４１ｅは、所定幅を有しさえすれば上記の回転規制の効果を奏することができる。したがって、図２２に示されるように、巻取コード３４１ｅに代えて複数の巻取コード３４１（ここでは２本）を左右方向において並列させた巻取コード群３４１ｅ’を備えるようにしてもよい。
【００５３】
本発明は、その要旨または主要な特徴から逸脱することなく、他の様々な形で実施することができる。そのため、前述の第１〜第６の実施形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【符号の説明】
【００５４】
１  ブラインド
１０  ヘッドボックス（支持部材）
２０  スクリーン（遮蔽材）
３０，３０’，３０ａ〜３０ｅ  操作ユニット（操作装置）
３００，３００−１，３００−２  本体ケース
３２０，３２０ａ〜３２０ｄ  収容空間（正面収容空間，背面収容空間）
３２１，３２１ａ〜３２１ｄ  開口
３２４  傾斜部
３４０，３４０ｅ，３４０ｅ’  操作コード
３４１  巻取コード
３４１ｅ  巻取テープ
３４１ｅ’  巻取コード群
３４２  把持コード
３４３，３４３ｅ，３４３ｅ’  ストッパ
【図１】
2019190154.tif 000003
【図２】
2019190154.tif 000004
【図３】
2019190154.tif 000005
【図４】
2019190154.tif 000006
【図５】
2019190154.tif 000007
【図６】
2019190154.tif 000008
【図７】
2019190154.tif 000009
【図８】
2019190154.tif 000010
【図９】
2019190154.tif 000011
【図１０】
2019190154.tif 000012
【図１１】
2019190154.tif 000013
【図１２】
2019190154.tif 000014
【図１３】
2019190154.tif 000015
【図１４】
2019190154.tif 000016
【図１５】
2019190154.tif 000017
【図１６】
2019190154.tif 000018
【図１７】
2019190154.tif 000019
【図１８】
2019190154.tif 000020
【図１９】
2019190154.tif 000021
【図２０】
2019190154.tif 000022
【図２１】
2019190154.tif 000023
【図２２】
2019190154.tif 000024